(57)【要約】【課題】  特図抽選知識のデータ量と特典遊技における確変遊技または時短遊技の消化状況を表示するデータ量との小量化を図る。【解決手段】  特別図柄表示器２２が特図始動入賞部品２４への球の入賞に基づく特図抽選の当たり結果を「３３３」または「７７７」の特別図柄で確定表示したならば、可変入賞部品２５が可変開閉体３１を開閉する大当たり遊技を行った後、特典遊技が実行される。この特典遊技は、普図抽選や特図抽選での当たりの発生する確率が高くなった確変遊技を特別図柄表示器２２が１５回変動するまで実行し、その後、普通図柄表示器２１や特別図柄表示器２２による図柄変動時間の短い時短遊技を特別図柄表示器２２が１００回変動するまで実行する一方、普通図柄表示器２１や特別図柄表示器２２による特別図柄の可変表示による確変または時短なる特典遊技の消化状況を特別図柄表示器２２の表示画面に表示して遊技者に知らせる。【選択図】        図１
2004154568.tif 000002
【特許請求の範囲】
【請求項１】
球の飛び交う遊技領域には、特図始動入賞部品と、複数の特別図柄の可変表示可能な特別図柄表示器と、開閉可能な可変開閉体や特定入賞領域および普通入賞領域を有する可変入賞部品とを備え、
制御装置は、特図始動入賞部品への球の入賞に基づき、特典が消去されていれば特別図柄に対する変動時間を通常特図変動時間に設定するとともに特図抽選に使用する抽選知識として通常特図抽選知識を設定し、また、特典が設定されていれば特別図柄に対する変動時間を短縮特図変動時間に設定するとともに特図抽選に使用する抽選知識として確変特図抽選知識を設定し、これらの設定と並行し上記設定された通常特図抽選知識または確変特図抽選知識による特図抽選を行うとともに特別図柄表示器による特別図柄の可変表示を開始し、この可変表示の開始から上記設定された通常特図変動時間または短縮特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、
また、上記制御装置は、上記特別図柄に対する変動時間として短縮特図変動時間および上記特図抽選に使用する抽選知識として確変特図抽選知識が設定されていれば、特別図柄表示器による特別図柄の可変表示による確変または時短なる特典遊技の消化状況を特別図柄表示器に表示させ、
さらに、上記制御装置は、上記特図抽選の結果を反映して停止した特別図柄が特典として定めた図柄であるならば確変特図抽選知識と短縮特図変動時間とからなる特典を設定し、上記特図抽選の結果を反映して停止した特別図柄が特典として定めた図柄でなければ確変特図抽選知識と短縮特図変動時間とからなる特典を消去することを特徴とするパチンコ機。
【請求項２】
球の飛び交う遊技領域には、普図始動入賞部品と、開閉可能な特始開閉体を有する特図始動入賞部品と、複数の普通図柄の可変表示可能な普通図柄表示器と、複数の特別図柄の可変表示可能な特別図柄表示器と、開閉可能な可変開閉体や特定入賞領域および普通入賞領域を有する可変入賞部品とを備え、
制御装置は、普図始動入賞部品への球の入賞に基づき、特典が消去されていれば普通図柄に対する変動時間を通常普図変動時間に設定するとともに普図抽選に使用する抽選知識として通常普図抽選知識を設定し、また、特典が設定されていれば普通図柄に対する変動時間を短縮普図変動時間に設定するとともに普図抽選に使用する抽選知識として確変普図抽選知識を設定し、これらの設定と並行し上記設定された通常普図抽選知識または確変普図抽選知識による普図抽選を行うとともに普通図柄表示器による普通図柄の可変表示を開始し、この可変表示の開始から上記設定された通常普図変動時間または短縮普図変動時間が経過したならば上記普通図柄表示器による普通図柄の可変表示を上記普図抽選の結果を反映して停止し、この停止した普通図柄が外れであるならば特図始動入賞部品の特始開閉体を開閉せず、上記停止した普通図柄が当たりであるならば特図始動入賞部品の特始開閉体を開閉し、
また、上記制御装置は、特図始動入賞部品への球の入賞に基づき、特典が消去されていれば特別図柄に対する変動時間を通常特図変動時間に設定するとともに特図抽選に使用する抽選知識として通常特図抽選知識を設定し、また、特典が設定されていれば特別図柄に対する変動時間を短縮特図変動時間に設定するとともに特図抽選に使用する抽選知識として確変特図抽選知識を設定し、これらの設定と並行し上記設定された通常特図抽選知識または確変特図抽選知識による特図抽選を行うとともに特別図柄表示器による特別図柄の可変表示を開始し、この可変表示の開始から上記設定された通常特図変動時間または短縮特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、
また、上記制御装置は、上記普通図柄または特別図柄に対する変動時間として短縮普図変動時間または短縮特図変動時間および上記普図抽選または特図抽選に使用する抽選知識として確変普図抽選知識または確変特図抽選知識が設定されていれば、普通図柄表示器による普通図柄の可変表示または特別図柄表示器による特別図柄の可変表示による確変または時短なる特典遊技の消化状況を普通図柄表示器または特別図柄表示器に表示させ、
さらに、上記制御装置は、上記特図抽選の結果を反映して停止した特別図柄が特典として定めた図柄であるならば確変普図抽選知識と短縮普図変動時間と確変特図抽選知識と短縮特図変動時間とからなる特典を設定し、上記特図抽選の結果を反映して停止した特別図柄が特典として定めた図柄でなければ確変普図抽選知識と短縮普図変動時間と確変特図抽選知識と短縮特図変動時間とからなる特典を消去することを特徴とするパチンコ機。
【請求項３】
球の飛び交う遊技領域には、普図始動入賞部品と、開閉可能な特始開閉体を有する特図始動入賞部品と、複数の普通図柄の可変表示可能な普通図柄表示器と、複数の特別図柄の可変表示可能な特別図柄表示器と、開閉可能な可変開閉体や特定入賞領域および普通入賞領域を有する可変入賞部品とを備え、
制御装置は、普図始動入賞部品への球の入賞に基づき、特典が消去されていれば普通図柄に対する変動時間を通常普図変動時間に設定するとともに普図抽選に使用する抽選知識として通常普図抽選知識を設定し、また、特典が設定されていれば普通図柄に対する変動時間を短縮普図変動時間に設定するとともに普図抽選に使用する抽選知識として確変普図抽選知識を設定し、これらの設定と並行し上記設定された通常普図抽選知識または確変普図抽選知識による普図抽選を行うとともに普通図柄表示器による普通図柄の可変表示を開始し、この可変表示の開始から上記設定された通常普図変動時間または短縮普図変動時間が経過したならば上記普通図柄表示器による普通図柄の可変表示を上記普図抽選の結果を反映して停止し、この停止した普通図柄が外れであるならば特図始動入賞部品の特始開閉体を開閉せず、上記停止した普通図柄が当たりであるならば特図始動入賞部品の特始開閉体を開閉し、
また、上記制御装置は、特図始動入賞部品への球の入賞に基づき、通常特図抽選知識による特図抽選を行うとともに特別図柄表示器による特別図柄の可変表示を開始し、この可変表示の開始から上記設定された通常特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、
上記制御装置は、上記普通図柄に対する変動時間として短縮普図変動時間および上記普通図柄に使用する抽選知識として確変普図抽選知識が設定されていれば、普通図柄表示器による普通図柄の可変表示による確変または時短なる特典遊技の消化状況を普通図柄表示器または特別図柄表示器に表示させ、
さらに、上記制御装置は、上記特図抽選の結果を反映して停止した特別図柄が特典として定めた図柄であるならば確変普図抽選知識と短縮普図変動時間とからなる特典を設定し、上記特図抽選の結果を反映して停止した特別図柄が特典として定めた図柄でなければ確変普図抽選知識と短縮普図変動時間とからなる特典を消去することを特徴とするパチンコ機。
【発明の詳細な説明】
【技術分野】
【０００１】
本発明は、確変遊技のきっかけを作る特図抽選のデータで、可変入賞部品による大当たり遊技の終了後に、普通図柄表示器または特別図柄表示器による確変遊技と時短遊技とからなる特典遊技を行うことによって、特図抽選に使用する乱数値と抽選内容の情報とを関係付けた特図抽選知識のデータ量と特典遊技における確変遊技または時短遊技の消化状況を表示するデータ量とを可及的に少なくすることができ、遊技性向上が可能なパチンコ機に関する。
【背景技術】
【０００２】
従来のパチンコ機には、特図始動入賞部品への球の入賞に基づき、特図抽選を行うとともに特別図柄表示器による特図抽選結果の表示を行い、特別図柄表示器が特図抽選の当たり結果を確定表示したならば、可変入賞部品が可変開閉体を開閉する大当たり遊技を行うものが知られている。このパチンコ機において、上記特別図柄表示器による確定表示が確変図柄である場合に、上記大当たり遊技の終了後に、特図抽選での当たりの発生する確率を高くした確変遊技を６０回または３０回のようなＮ（自然数）回行うものも知られている（例えば、特許文献１参照）。また、上記パチンコ機において、Ｎ回の確変遊技中に特別図柄表示器による確定表示の内、確率を高くしない通常の確率に戻してしまう図柄の当たりが発生すると、当該確率を高くしない通常の確率に戻してしまう図柄に伴う大当たり動作の終了後に、普通図柄表示器による図柄変動時間を通常変動時間よりも短くした時短遊技を６０回のようなＭ（自然数）回行うものも知られている（例えば、特許文献２参照）。また、上記パチンコ機において、上記特別図柄表示器による確定表示が確変図柄である場合に、上記大当たり遊技の終了後に、普図抽選および特図抽選での当たりの発生する確率を高くした確変遊技を５０回のようなＮ（自然数）回行い、確変遊技での大当たりの終了後、当該確率を高くしない通常の確率に戻る場合、普通図柄表示器および特別図柄表示器による図柄変動時間を通常変動時間よりも短くした時短遊技を５０回のようなＭ（自然数）回行う一方、この時短遊技の消化状況を普通図柄表示器や特別図柄表示器と別に設けたＬＥＤのような表示灯で表示するものも知られている（例えば、特許文献３参照）。しかしながら、前記いずれのパチンコ機も、Ｎ回の確変遊技中に特別図柄表示器による確定表示の内、確率を高くしない通常の確率に戻してしまう図柄の当たりが発生すると、当該確率を高くしない通常の確率に戻してしまう図柄に伴う大当たり動作の終了後に、普通図柄表示器による時短遊技が始まる構造であるので、確変遊技のきっかけを作る特図抽選のデータと時短遊技のきっかけを作る特図抽選のデータとが異なり、特図抽選に使用する乱数値と抽選内容の情報とを関係付けた特図抽選知識のデータ量が飛躍的に多くなるという欠点がある。また、時短遊技の消化状況を表示する表示灯の制御と普通図柄表示器や特別図柄表示器との制御が別々のデータとなり、データ量がさらに多くなるという欠点がある。
【特許文献１】特開平８−２２９２０６号公報
【特許文献２】特開平１１−２９０５１７号公報
【特許文献３】特許第２７７２７７４号公報
【発明の開示】
【発明が解決しようとする課題】
【０００３】
発明が解決しようとする問題点は、特図抽選に使用する乱数値と抽選内容の情報とを関係付けた特図抽選知識のデータ量と特典遊技における確変遊技または時短遊技の消化状況を表示するデータ量とを少なくすることができない点である。
【課題を解決するための手段】
【０００４】
１つの発明にあっては、球の飛び交う遊技領域には、特図始動入賞部品と、複数の特別図柄の可変表示可能な特別図柄表示器と、開閉可能な可変開閉体や特定入賞領域および普通入賞領域を有する可変入賞部品とを備え、制御装置は、特図始動入賞部品への球の入賞に基づき、特典が消去されていれば特別図柄に対する変動時間を通常特図変動時間に設定するとともに特図抽選に使用する抽選知識として通常特図抽選知識を設定し、また、特典が設定されていれば特別図柄に対する変動時間を短縮特図変動時間に設定するとともに特図抽選に使用する抽選知識として確変特図抽選知識を設定し、これらの設定と並行し上記設定された通常特図抽選知識または確変特図抽選知識による特図抽選を行うとともに特別図柄表示器による特別図柄の可変表示を開始し、この可変表示の開始から上記設定された通常特図変動時間または短縮特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、また、上記制御装置は、上記特別図柄に対する変動時間として短縮特図変動時間および上記特図抽選に使用する抽選知識として確変特図抽選知識が設定されていれば、特別図柄表示器による特別図柄の可変表示による確変または時短なる特典遊技の消化状況を特別図柄表示器に表示させ、さらに、上記制御装置は、上記特図抽選の結果を反映して停止した特別図柄が特典として定めた図柄であるならば確変特図抽選知識と短縮特図変動時間とからなる特典を設定し、上記特図抽選の結果を反映して停止した特別図柄が特典として定めた図柄でなければ確変特図抽選知識と短縮特図変動時間とからなる特典を消去することを最も主要な特徴とする。また、もう１つの発明にあっては、球の飛び交う遊技領域には、普図始動入賞部品と、開閉可能な特始開閉体を有する特図始動入賞部品と、複数の普通図柄の可変表示可能な普通図柄表示器と、複数の特別図柄の可変表示可能な特別図柄表示器と、開閉可能な可変開閉体や特定入賞領域および普通入賞領域を有する可変入賞部品とを備え、制御装置は、普図始動入賞部品への球の入賞に基づき、特典が消去されていれば普通図柄に対する変動時間を通常普図変動時間に設定するとともに普図抽選に使用する抽選知識として通常普図抽選知識を設定し、また、特典が設定されていれば普通図柄に対する変動時間を短縮普図変動時間に設定するとともに普図抽選に使用する抽選知識として確変普図抽選知識を設定し、これらの設定と並行し上記設定された通常普図抽選知識または確変普図抽選知識による普図抽選を行うとともに普通図柄表示器による普通図柄の可変表示を開始し、この可変表示の開始から上記設定された通常普図変動時間または短縮普図変動時間が経過したならば上記普通図柄表示器による普通図柄の可変表示を上記普図抽選の結果を反映して停止し、この停止した普通図柄が外れであるならば特図始動入賞部品の特始開閉体を開閉せず、上記停止した普通図柄が当たりであるならば特図始動入賞部品の特始開閉体を開閉し、また、上記制御装置は、特図始動入賞部品への球の入賞に基づき、特典が消去されていれば特別図柄に対する変動時間を通常特図変動時間に設定するとともに特図抽選に使用する抽選知識として通常特図抽選知識を設定し、また、特典が設定されていれば特別図柄に対する変動時間を短縮特図変動時間に設定するとともに特図抽選に使用する抽選知識として確変特図抽選知識を設定し、これらの設定と並行し上記設定された通常特図抽選知識または確変特図抽選知識による特図抽選を行うとともに特別図柄表示器による特別図柄の可変表示を開始し、この可変表示の開始から上記設定された通常特図変動時間または短縮特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、また、上記制御装置は、上記普通図柄または特別図柄に対する変動時間として短縮普図変動時間または短縮特図変動時間および上記普図抽選または特図抽選に使用する抽選知識として確変普図抽選知識または確変特図抽選知識が設定されていれば、普通図柄表示器による普通図柄の可変表示または特別図柄表示器による特別図柄の可変表示による確変または時短なる特典遊技の消化状況を普通図柄表示器または特別図柄表示器に表示させ、さらに、上記制御装置は、上記特図抽選の結果を反映して停止した特別図柄が特典として定めた図柄であるならば確変普図抽選知識と短縮普図変動時間と確変特図抽選知識と短縮特図変動時間とからなる特典を設定し、上記特図抽選の結果を反映して停止した特別図柄が特典として定めた図柄でなければ確変普図抽選知識と短縮普図変動時間と確変特図抽選知識と短縮特図変動時間とからなる特典を消去することを最も主要な特徴とする。さらにもう１つの発明にあっては、球の飛び交う遊技領域には、普図始動入賞部品と、開閉可能な特始開閉体を有する特図始動入賞部品と、複数の普通図柄の可変表示可能な普通図柄表示器と、複数の特別図柄の可変表示可能な特別図柄表示器と、開閉可能な可変開閉体や特定入賞領域および普通入賞領域を有する可変入賞部品とを備え、制御装置は、普図始動入賞部品への球の入賞に基づき、特典が消去されていれば普通図柄に対する変動時間を通常普図変動時間に設定するとともに普図抽選に使用する抽選知識として通常普図抽選知識を設定し、また、特典が設定されていれば普通図柄に対する変動時間を短縮普図変動時間に設定するとともに普図抽選に使用する抽選知識として確変普図抽選知識を設定し、これらの設定と並行し上記設定された通常普図抽選知識または確変普図抽選知識による普図抽選を行うとともに普通図柄表示器による普通図柄の可変表示を開始し、この可変表示の開始から上記設定された通常普図変動時間または短縮普図変動時間が経過したならば上記普通図柄表示器による普通図柄の可変表示を上記普図抽選の結果を反映して停止し、この停止した普通図柄が外れであるならば特図始動入賞部品の特始開閉体を開閉せず、上記停止した普通図柄が当たりであるならば特図始動入賞部品の特始開閉体を開閉し、また、上記制御装置は、特図始動入賞部品への球の入賞に基づき、通常特図抽選知識による特図抽選を行うとともに特別図柄表示器による特別図柄の可変表示を開始し、この可変表示の開始から上記設定された通常特図変動時間が経過したならば上記特別図柄表示器による特別図柄の可変表示を上記特図抽選の結果を反映して停止し、この停止した特別図柄が外れであるならば可変入賞部品の可変開閉体を開閉せず、上記停止した特別図柄が当たりであるならば可変入賞部品の可変開閉体を開閉した大当たり遊技を行い、上記制御装置は、上記普通図柄に対する変動時間として短縮普図変動時間および上記普通図柄に使用する抽選知識として確変普図抽選知識が設定されていれば、普通図柄表示器による普通図柄の可変表示による確変または時短なる特典遊技の消化状況を普通図柄表示器または特別図柄表示器に表示させ、さらに、上記制御装置は、上記特図抽選の結果を反映して停止した特別図柄が特典として定めた図柄であるならば確変普図抽選知識と短縮普図変動時間とからなる特典を設定し、上記特図抽選の結果を反映して停止した特別図柄が特典として定めた図柄でなければ確変普図抽選知識と短縮普図変動時間とからなる特典を消去することを最も主要な特徴とする。
【発明の効果】
【０００５】
１つの発明は、特図抽選の結果を反映して停止した特別図柄が特典として定めた図柄であるならば確変普図抽選知識と短縮普図変動時間と確変特図抽選知識と短縮特図変動時間とからなる特典を設定し、上記特図抽選の結果を反映して停止した特別図柄が特典として定めた図柄でなければ確変普図抽選知識と短縮普図変動時間と確変特図抽選知識と短縮特図変動時間とからなる特典を消去するので、特図抽選に使用する乱数値と抽選内容の情報とを関係付けた特図抽選知識のデータ量と特典遊技における確変遊技または時短遊技の消化状況を表示するデータ量とを可及的に少なくすることができ、遊技性を向上することができるうえ、確変または時短なる特典遊技の消化状況を特別図柄表示器に表示するので、特別図柄表示器と別に設けられた表示灯で確変または時短なる特典遊技の消化状況を表示する場合に比べ、遊技者が表示された確変または時短なる特典遊技の消化状況を容易かつ適切に把握することができる。もう１つの発明は、確変遊技のきっかけを作る特図抽選のデータで、可変入賞部品による大当たり遊技の終了後に、普通図柄表示器と特別図柄表示器とで当たりの発生する確率の多い確変遊技と図柄変動の短い時短遊技とからなる特典遊技を行うので、特図抽選に使用する乱数値と抽選内容の情報とを関係付けた特図抽選知識のデータ量を可及的に少なくすることができ、遊技性を向上することができるうえ、確変または時短なる特典遊技の消化状況を普通図柄表示器または特別図柄表示器で表示するので、遊技者が表示された確変または時短なる特典遊技の消化状況を容易かつ適切に把握することができる。さらにもう１つの発明は、確変遊技のきっかけを作る特図抽選のデータで、可変入賞部品による大当たり遊技の終了後に、普通図柄表示器だけで、当たりの発生する確率の多い確変遊技と図柄変動時間の短い時短遊技とからなる特典遊技を行うので、特図抽選に使用する乱数値と抽選内容の情報とを関係付けた特図抽選知識のデータ量を可及的に少なくすることができ、遊技性を向上することができるうえ、確変または時短なる特典遊技の消化状況を普通図柄表示器または特別図柄表示器に表示するので、遊技者が表示された確変または時短なる特典遊技の消化状況を容易かつ適切に把握することができる。また、確変遊技残数値または時短遊技残数値と図柄変動とを同時に表示しなければ、表示された確変遊技残数値と表示された図柄変動との双方を見やすくすることができる。
【発明を実施するための最良の形態】
【０００６】
図１−図７は一実施形態である。図１はパチンコ機を模式的に示す。図２は制御装置３８のＲＯＭに格納される通常特図抽選知識５５を示す。図３は制御装置３８のＲＯＭに格納される特典状況表示知識５８を示す。図４−図６はフローチャートを示す。図７は確変遊技残数値または時短遊技残数値と特別図柄との表示関係を示す。
【０００７】
図１を参照し、パチンコ機について説明する。パチンコ機は、遊技機枠１の前面に、飾り枠２と球皿３および発射操作機構４を備える。飾り枠２は、ガラスまたは合成樹脂からなる光透過性の有るパネル５で覆われる窓６を備える。球皿３は、遊技媒体である球を受ける容器である。発射操作機構４は遊技者により操作されるハンドルグリップと呼ばれる機構である。発射操作機構４は可変抵抗器７を備える。遊技機枠１の内部には、遊技盤８および発射機構９が設けられる。遊技盤８は、飾り枠２が遊技機枠１の前側に開けられた状態において、遊技機枠１の前側から内部に交換可能に装着される。発射機構９は、電磁ソレノイドまたはステップモータのような発射駆動源１１を備える。遊技盤８の前面とパネル５との間には、ガイドレール１２で囲まれた内側の遊技領域１３が形成される。
【０００８】
遊技領域１３には、普通図柄表示器２１、特別図柄表示器２２、普図始動入賞部品２３、特図始動入賞部品２４、可変入賞部品２５、一般入賞部品２６、アウト口２７を備える。普通図柄表示器２１は、「０」から「９」の複数の普通図柄としての数値図柄を表示画面に電気的に可変表示し得る、７セグメント表示器またはディジタル表示器のような画像表示器により構成される。例えば、「０」から「９」の複数の普通図柄が可変表示後に停止し、その停止で確定表示された普通図柄が「７」の場合、普通図柄表示器２１が普図抽選による当たりの抽選結果を表示したものと設定されている。
【０００９】
特別図柄表示器２２は、「０」から「９」の数値図柄や絵図柄などからなる複数の特別図柄を表示画面に例えば横３列で電気的に可変表示し得る、液晶表示器、ＣＲＴ表示器、プラズマディスプレイなどのような、画像表示器により構成される。例えば、「０」から「９」の数値図柄や絵図柄などからなる複数の特別図柄が可変表示後に停止し、その停止で確定表示された特別図柄が同じ数値図柄または同じ絵図柄で横３列の場合、特別図柄表示器２２が特図抽選による当たりの抽選結果を表示したものと設定されている。
【００１０】
普図始動入賞部品２３は、遊技領域１３から入賞した球を、遊技領域１３に排出する通過形である。特図始動入賞部品２４と可変入賞部品２５および一般入賞部品２６は、遊技領域１３から入賞した球を、遊技盤８の裏側に排出する取込形である。アウト口２７は、普図始動入賞部品２３から排出された球、普図始動入賞部品２３と特図始動入賞部品２４と可変入賞部品２５および一般入賞部品２６のいずれにも入賞しなかった球を、アウト球として遊技盤８の裏側に排出する。
【００１１】
特図始動入賞部品２４は、左右一対の特始開閉体２８が特図始動入賞部品２４の裏部に設けられた電磁ソレノイドのような特始開閉駆動源２９で左右に開閉する、電動チューリップと呼ばれるような入賞部品により構成される。特始開閉体２８が閉じた場合でも、遊技領域１３から球が左右一対の特始開閉体２８の間を経由して特図始動入賞部品２４に入賞する可能性を有する。よって、特図始動入賞部品２４は、特始開閉体２８の開閉によって、球の入賞しづらい遊技者に不利な形態と、球の入賞しやすい遊技者に有利な形態とを作る入賞部品である。
【００１２】
可変入賞部品２５は、１つの可変開閉体３１が可変入賞部品２５の裏部に設けられた電磁ソレノイドのような可変開閉駆動源３２で前後方向に開閉する、アタッカーまたは大入賞口と呼ばれるような入賞部品であって、内部に特定入賞領域と普通入賞領域とを備える。可変開閉体３１が閉じた場合、遊技領域１３から球が可変開閉体３１を経由して可変入賞部品２５に入賞することは無い。よって、可変入賞部品２５は、可変開閉体３１の開閉によって、球の入賞しない遊技者に不利な形態と、球の入賞する遊技者に有利な形態とを作る入賞部品である。
【００１３】
普図始動球検出器３３は、普図始動入賞部品２３に入賞した球を検出して、普図始動入賞信号を制御装置３８に出力する。特図始動球検出器３４は、特図始動入賞部品２４に入賞した球を検出して、特図始動入賞信号を制御装置３８に出力する。カウント球検出器３５は、可変入賞部品２５の普通入賞領域に入賞した球を検出して、カウント入賞信号を制御装置３８に出力する。継続球検出器３６は、可変入賞部品２５の特定入賞領域に入賞した球を検出して、継続入賞信号を制御装置３８に出力する。一般球検出器３７は、一般入賞部品２６に入賞した球を検出して、一般入賞信号を制御装置３８に出力する。
【００１４】
制御装置３８は遊技機枠１の裏側または遊技盤８の裏側に取り付けられる。制御装置３８は、マイクロコンピュータのＣＰＵがＲＯＭに書き込まれたプログラムにしたがってＲＡＭを記憶装置として使用しながら動作することによって具現化される、入賞検出手段４１、普図抽選手段４２、普図カウンタ４３、普図駆動手段４４、特始部品駆動手段４５、特図抽選手段４６、特図カウンタ４７、特図駆動手段４８、可変部品駆動手段４９、払出駆動手段５１、特典遊技手段５２、特典状況把握手段５７を備える。普図始動入賞信号、特図始動入賞信号、カウント入賞信号、継続入賞信号、一般入賞信号などの検出信号が制御装置３８のマイクロコンピュータに入力されると、入賞検出手段４１が上記検出信号の入力されたマイクロコンピュータにおける入力ポートの位置の違いを識別することで、普図始動球検出器３３、特図始動球検出器３４、カウント球検出器３５、継続球検出器３６、一般球検出器３７のうちのどの球検出器からの入賞信号であるかを検出する。普図駆動手段４４および特図駆動手段４８は、確変遊技中および時短遊技中において、普通図柄表示器２１および特別図柄表示器２２による可変表示の終了ごとに変動回数を１カウントアップし、そのカウントアップ値をＲＡＭに記憶する。
【００１５】
制御装置３８のＲＯＭには、普図抽選の結果として当たりが抽選された場合の特始開閉体２８の開閉回数として１回、普通図柄表示器２１の通常普図変動時間として３０秒、普通図柄表示器２１の短縮普図変動時間として５秒、特別図柄表示器２２の通常特図変動時間として１０秒、特別図柄表示器２２の短縮特図変動時間として５秒、可変入賞部品２５による大当たり遊技の１回のラウンド遊技を終了する設定普通入賞個数として１０個、可変入賞部品２５による大当たり遊技の１回のラウンド遊技を終了する設定開放時間として３０秒、可変入賞部品２５による大当たり遊技を終了する設定ラウンド回数として１６回、通常確率時の普図抽選に使用する通常普図抽選知識５３、高確率時の普図抽選に使用する確変普図抽選知識５４、普図抽選に使用する普図カウンタ４３、通常確率時の特図抽選に使用する通常特図抽選知識５５、高確率時の特図抽選に使用する確変特図抽選知識５６、特図抽選に使用する特図カウンタ４７、特典遊技状況の表示に使用する特典状況表示知識５８が格納されている。
【００１６】
通常普図抽選知識５３は、乱数値と当たり外れの情報とを対応付けたデータである。確変普図抽選知識５４は乱数値と当たり外れの情報とを対応付けたデータであって、通常普図抽選知識５３よりも当たり情報の数を多くして当たりの発生する確率が高くなっている。通常特図抽選知識５５は乱数値と当たり外れの情報とを対応付けたデータである。確変特図抽選知識５６は乱数値と当たり外れの情報とを対応付けたデータであって、通常特図抽選知識５５よりも当たり情報の数を多くして当たりの発生する確率が高くなっている。
【００１７】
上記特始開閉体２８の開閉回数＝１回、普通図柄表示器２１に対する通常普図変動時間＝３０秒、普通図柄表示器２１に対する短縮普図変動時間＝５秒、特別図柄表示器２２に対する通常特図変動時間＝１０秒、特別図柄表示器２２に対する短縮特図変動時間＝５秒、可変入賞部品２５に対する設定開放時間＝３０秒、可変入賞部品２５に対する設定普通入賞個数＝１０個、可変入賞部品２５に対する設定ラウンド回数＝１６回などは、それぞれの数値に限定されるものではない。これらのＲＯＭに格納された情報は、制御装置３８が電力で起動する初期動作時に、制御装置３８のＲＯＭからＲＡＭに初期設定される。
【００１８】
普図カウンタ４３は、制御装置３８の起動に伴うプログラムの１回の処理サイクル例えば４ｍ秒ごとに値を１ずつカウントアップするソフトカウンタであって、通常普図抽選知識５３および確変普図抽選知識５４の乱数値と同じ最大数値をカウントアップした後に、通常普図抽選知識５３および確変普図抽選知識５４の乱数値と同じ最小数値に戻る、巡回形（ループカウンタ）になっている。特図カウンタ４７は、制御装置３８の起動に伴うプログラムの１回の処理サイクル例えば４ｍ秒ごとに値を１ずつカウントアップするソフトカウンタであって、通常特図抽選知識５５および確変特図抽選知識５６の乱数値と同じ最大数値をカウントアップした後に、通常特図抽選知識５５および確変特図抽選知識５６の乱数値と同じ最小数値に戻る、巡回形（ループカウンタ）になっている。特典状況表示知識５８は、確変遊技回数Ｎからの確変遊技残数値と表示情報とを対応付けたデータ、時短遊技回数Ｍからの時短遊技残数値と表示情報とを対応付けたデータである。
【００１９】
図２を参照し、通常特図抽選知識５５について説明する。通常特図抽選知識５５は乱数欄と抽選内容とを備える。乱数欄には、特図カウンタ４７のカウンタ値と同じ数値の乱数が記入されている。抽選内容には各乱数と対応付けられて外れ情報や当たり情報が記入されている。例えば、乱数「０」には、抽選内容として「外れ、リーチ有り、確定図柄「３３４」」の情報が記入されている。乱数「１」には、抽選内容として「当たり、リーチ有り、確定図柄「５５５」」の情報が記入されている。乱数「２」には、抽選内容として「外れ、リーチなし、確定図柄「５６７」」の情報が記入されている。乱数「３」には、抽選内容として「当たり、リーチなし、確定図柄「３３３」、特典有り」の情報が記入されている。乱数「４」には、抽選内容として「外れ、リーチ有り、確定図柄「１１０」」の情報が記入されている。
【００２０】
乱数「７」には、抽選内容として「当たり、リーチ有り、確定図柄「７７７」、特典有り」の情報が記入されている。乱数「９９９」には、抽選内容として「当たり、リーチなし、確定図柄「９９９」」の情報が記入されている。よって、特図カウンタ４７でカウント値が「３」または「７」が抽選されると、特典遊技が実行されることになる。特典遊技は、大当たり遊技終了後において、Ｎ回までの確変とＭ回までの時短とを行う遊技である。例えば、Ｎは１５回、Ｍは１００回と設定される。また、確変特図抽選知識５６においては、図２には図示していないが、例えば、乱数値「５０」、「７０」、「９９」に対する抽選内容が乱数値「３」に対応する抽選内容と同じ内容の情報に変更され、乱数値「５５」、「７５」、「９５」に対する抽選内容が乱数値「７」に対応する抽選内容と同じ内容の情報に変更される。
【００２１】
図３を参照し、特典状況表示知識５８について説明する。特典状況表示知識５８は確変遊技残数欄と確変遊技表示欄と時短遊技残数欄と時短遊技表示欄とを備える。確変遊技残数欄には、確変または時短なる特典遊技の消化状況として、確変遊技回数Ｎからの確変遊技残数値が記入されている。確変遊技表示欄には、表示有りのような情報が記入されている。時短遊技残数欄には、確変または時短なる特典遊技の消化状況として、時短遊技回数Ｍからの時短遊技残数値が記入されている。時短遊技表示欄には表示有りのような情報が記入されている。例えば、確変遊技回数Ｎからの確変遊技残数値「１５」、「１０」、「５」、「４」、「３」、「２」、「１」、「０」には、確変遊技表示情報として「表示有り」の情報が記入されている。時短遊技回数Ｍからの時短遊技残数値「１００」、「９０」、「８０」、「７０」、「６０」、「５０」、「４０」、「３０」、「２０」、「１０」、「５」、「４」、「３」、「２」、「１」、「０」には、時短遊技表示情報として「表示有り」の情報が記入されている。
【００２２】
本実施形態の動作について図１および図２を用いて説明する。図１において、制御装置３８が電力で起動した初期状態には、通常普図抽選知識５３および通常特図抽選知識５５が普図抽選や特図抽選に使用する抽選知識としてＲＡＭに設定され、特始開閉体２８と可変開閉体３１とが閉じている。そして、球皿３に球が入れられた後、遊技者が発射操作機構４を操作すると、可変抵抗器７が発射操作機構４の操作量に応じた可変抵抗値を制御装置３８に出力する。
【００２３】
制御装置３８は、可変抵抗値に応じた発射出力で、例えば一分間当たり１００発未満に設定された一定回数を以って、発射機構９の発射駆動源１１を駆動する。これによって、発射機構９が、球皿３から供給される球を、１個ずつ、遊技領域１３に発射する。上記遊技領域１３に発射された球が一般入賞部品２６に入賞すると、一般球検出器３７が一般入賞信号を制御装置３８に出力し、入賞検出手段４１が一般入賞信号を検出したことを払出駆動手段５１に出力し、払出駆動手段５１が制御装置３８に一般入賞に対する賞として設定された定数の賞球を払い出すように払出機構６０を駆動する。これによって、払出機構６０が、賞球としての球を、遊技機枠１の裏側から球皿３に払い出す。
【００２４】
また、上記遊技領域１３に発射された球が普図始動入賞部品２３に入賞すると、普図始動球検出器３３が普図始動入賞信号を制御装置３８に出力し、入賞検出手段４１が普図始動入賞信号を検出したことを普図抽選手段４２および普図駆動手段４４に出力する。これによって、普図抽選手段４２が普図抽選を行う。この普図抽選では、普図抽選手段４２が、普図始動入賞信号の入力タイミングで、普図カウンタ４３のカウント値を取得し、この取得したカウント値を通常普図抽選知識５３に照合し、カウント値に対応する通常普図抽選知識５３に乱数値と対応付けて格納された抽選内容の情報を抽出し、抽出した抽選内容の情報を抽選結果としてＲＡＭに記憶する。
【００２５】
これと並行し、普図駆動手段４４が普通図柄表示器２１を駆動し、普通図柄表示器２１が複数の普通図柄を可変表示する。この普通図柄表示器２１による普通図柄の可変表示が開始してから通常普図変動時間である３０秒後、ＲＡＭの抽選結果を遊技者に知らせるために、普図駆動手段４４が当該ＲＡＭに記憶された抽選結果を反映すべく上記普通図柄表示器２１による普通図柄の可変表示を停止する。
【００２６】
具体的には、普図抽選の結果として外れが抽選された場合、普通図柄表示器２１が可変表示の停止で「７」以外の「０」から「９」の普通図柄を確定表示し、特始部品駆動手段４５による制御は行われず、次の普図始動入賞部品２３への球の入賞を待つ。普図抽選の結果として当たりが抽選された場合、普通図柄表示器２１が可変表示の停止で「７」なる普通図柄を確定表示した後、普図駆動手段４４が特始部品駆動手段４５に普通図柄の確定表示が完了したことを出力する。これによって、特始部品駆動手段４５が特始開閉駆動源２９を駆動し、特始開閉駆動源２９が特始開閉体２８を例えば１秒間開いた後に閉じるというように１回開閉する。
【００２７】
また、上記遊技領域１３に発射された球が特図始動入賞部品２４に入賞すると、特図始動球検出器３４が特図始動入賞信号を制御装置３８に出力し、入賞検出手段４１が特図始動入賞信号を検出したことを払出駆動手段５１と特図抽選手段４６および特図駆動手段４８に出力する。これによって、払出駆動手段５１が制御装置３８に特図始動入賞に対する賞として設定された定数の賞球を払い出すように払出機構６０を駆動し、払出機構６０が賞球としての球を遊技機枠１の裏側から球皿３に払い出す。
【００２８】
これと並行し、特図抽選手段４６が特図抽選を行う。この特図抽選では、特図抽選手段４６が、特図始動入賞信号の入力タイミングで、特図カウンタ４７のカウント値を取得し、この取得したカウント値を通常特図抽選知識５５に照合し、カウント値に対応する通常特図抽選知識５５に乱数値と対応付けて格納された抽選内容の情報を抽出し、抽出した抽選内容の情報を抽選結果としてＲＡＭに記憶する。
【００２９】
また、特図駆動手段４８が特別図柄表示器２２を駆動し、特別図柄表示器２２が複数の特別図柄を可変表示する。この特別図柄表示器２２による特別図柄の可変表示が開始してから通常特図変動時間である１０秒後、ＲＡＭの抽選結果を遊技者に知らせるために、特図駆動手段４８が当該ＲＡＭに記憶された抽選結果を反映すべく上記特別図柄表示器２２による特別図柄の可変表示を停止する。
【００３０】
具体的には、特図抽選の結果として外れが抽選された場合、特別図柄表示器２２が可変表示の停止で横３列に異なる数値図柄または異なる絵図柄の組み合わせ態様で特別図柄を確定表示し、可変部品駆動手段４９による制御は行われず、次の特図始動入賞部品２４への球の入賞を待つ。特図抽選の結果として当たりが抽選された場合、特別図柄表示器２２が可変表示の停止で横３列に同じ数値図柄または同じ絵図柄の組み合わせ態様で特別図柄を確定表示した後、特図駆動手段４８が可変部品駆動手段４９に特別図柄の確定表示が完了したことを出力する。これによって、可変部品駆動手段４９が可変開閉駆動源３２を駆動し、可変開閉駆動源３２が可変開閉体３１を開閉する。この可変開閉体３１の開閉が大当たり遊技である。
【００３１】
この可変開閉体３１の開放に伴い、可変部品駆動手段４９が開放経過時間をカウントアップする。また、上記可変開閉体３１の開放中において、遊技領域１３から球が可変入賞部品２５の普通入賞領域に入賞すると、カウント球検出器３５がカウント入賞信号を制御装置３８に出力し、入賞検出手段４１がカウント入賞信号を検出したことを払出駆動手段５１および可変部品駆動手段４９に出力する。これによって、払出駆動手段５１が制御装置３８に普通入賞に対する賞として設定された定数の賞球を払い出すように払出機構６０を駆動し、払出機構６０が賞球としての球を遊技機枠１の裏側から球皿３に払い出す。また、可変部品駆動手段４９がカウント入賞信号の入力ごとにカウントアップを行う。そして、開放経過時間によるカウントアップ値が設定開放時間の３０秒に到達するか、カウント入賞信号によるカウントアップ値が設定普通入賞個数の１０個に到達するまで開いた後に閉じるというように、可変部品駆動手段４９が可変開閉体３１を１回開閉する。
【００３２】
この可変開閉体３１における１回の開放中において、遊技領域１３から球が可変入賞部品２５の特定入賞領域に入賞すると、継続球検出器３６が継続入賞信号を制御装置３８に出力し、入賞検出手段４１が継続入賞信号を検出したことを払出駆動手段５１および可変部品駆動手段４９に出力する。これによって、払出駆動手段５１が制御装置３８に特定入賞に対する賞として設定された定数の賞球を払い出すように払出機構６０を駆動し、払出機構６０が賞球としての球を遊技機枠１の裏側から球皿３に払い出す。
【００３３】
また、可変部品駆動手段４９が当該可変開閉体３１における１回の開閉終了後に、可変開閉体３１を再び１回開閉するとともにラウンド遊技の回数を１回としてカウントアップする。この球の特定入賞領域への入賞で、可変開閉体３１が再び１回開閉するラウンド遊技は、可変開閉体３１における１回の開放中において継続入賞信号が制御装置３８に入力されれば、カウントアップ値が１６回になるまで繰り返され、１回の大当たり遊技が終了する。
【００３４】
一方、上記特図抽選の結果として当たりが抽選された場合であって、その当たりが例えば図２における乱数値「３」または「７」の場合には、上記大当たり遊技終了後に、特典遊技を実行するために、特典遊技手段５２が、上記乱数値「３」または「７」に対応する通常特図抽選知識５５の「特典有り」なる情報に基づき、ＲＡＭに「特典」なる情報を設定する。また、上記特図抽選の結果として当たりが抽選された場合であって、その当たりが例えば図２における乱数値「３」または「７」以外の場合には、上記大当たり遊技終了後に、特典遊技を実行しないために、特典遊技手段５２が、ＲＡＭに格納された「特典」なる情報を消去する。
【００３５】
上記特典遊技手段５２による「特典」なる情報がＲＡＭに格納された状態において、遊技領域１３に発射された球が普図始動入賞部品２３または特図始動入賞部品２４に入賞し、普図始動球検出器３３または特図始動球検出器３４が普図始動入賞信号または特図始動入賞信号を制御装置３８に出力すると、入賞検出手段４１が普図始動入賞信号または特図始動入賞信号を検出したことを普図抽選手段４２と普図駆動手段４４または特図抽選手段４６と特図駆動手段４８とに出力する。
【００３６】
すると、普図抽選手段４２と特図抽選手段４６とがＲＡＭに「特典」なる情報が設定されているかいないかを判定する。そして、ＲＡＭに「特典」なる情報が設定されていることから、「特典設定有り」を判定したならば、普図抽選手段４２と特図抽選手段４６とがＲＯＭからＲＡＭに確変普図抽選知識５４と確変特図抽選知識５６と確変遊技回数Ｎ＝１５回とを書き込む。また、普図駆動手段４４と特図駆動手段４８とがＲＡＭに「特典」なる情報が設定されているかいないかを判定する。
【００３７】
そして、ＲＡＭに「特典」なる情報が設定されていることから、「特典設定有り」を判定したならば、普図駆動手段４４と特図駆動手段４８とがＲＯＭからＲＡＭに普通図柄表示器２１に対する短縮普図変動時間＝５秒と、特別図柄表示器２２に対する短縮特図変動時間＝５秒と、時短遊技回数Ｍ＝１００回とを書き込む。これによって、普図抽選手段４２または特図抽選手段４６による確変普図抽選知識５４または確変特図抽選知識５６を使用した確変遊技を実行する。
【００３８】
これと並行し、普図駆動手段４４または特図駆動手段４８が普通図柄表示器２１または特別図柄表示器２２を駆動し、普通図柄表示器２１または特別図柄表示器２２が複数の普通図柄または複数の特別図柄の可変表示を開始してから短縮普図変動時間である５秒後または短縮特図変動時間である５秒後に、ＲＡＭの抽選結果を遊技者に知らせるために、普図駆動手段４４または特図駆動手段４８が当該ＲＡＭに記憶された抽選結果を反映すべく上記普通図柄表示器２１または特別図柄表示器２２による普通図柄または特別図柄の可変表示を停止する。
【００３９】
この確変遊技は普通図柄表示器２１の変動回数または特別図柄表示器２２の変動回数が上記ＲＡＭに書き込まれた確変遊技回数Ｎ＝１５回まで継続可能であるが、確変普図抽選知識５４または確変特図抽選知識５６を用いた抽選結果として、「特典」のきっかけとなる乱数値「３」、「７」、「５０」、「５５」、「７０」、「７５」、「９５」、「９９」のいずれかが抽選されることによって、上記確変遊技がその時点で終了し、特典遊技手段５２がＲＡＭに「特典」なる情報を設定し直し（「特典」なる情報の更新）、上記ＲＡＭに書き込まれた確変遊技回数Ｎ＝１５回まで継続可能である新たな確変遊技が再開される。この確変遊技中の変動回数は、普通図柄表示器２１または特別図柄表示器２２において、１回の図柄可変表示が開始してから、その回の図柄可変表示が終了して、その図柄が確定するまでを１回として、特典状況把握手段５７が計数する。この確変遊技中の変動回数を数えた特典状況把握手段５７は、計数した変動回数を上記ＲＡＭに書き込まれた確変遊技回数Ｎ＝１５回からカウントダウンし、そのカウントダウンした値を確変遊技残数値として取得し、この取得した確変遊技残数値を特典状況表示知識５８に照合し、確変遊技残数値に対応する特典状況表示知識５８に確変遊技残数値と対応付けされた確変遊技表示有りの情報を抽出し、抽出した確変遊技表示有りの情報をＲＡＭに記憶し、この記憶を遊技者に知らせるために、特図駆動手段４８に確変遊技表示有りの情報をＲＡＭに記憶したことを出力する。これによって、特図駆動手段４８が特別図柄表示器２２の表示画面における例えば４隅のいずれか１つ、上部の中央または下部の中央、全体的な図柄の背景のいずれかに、例えば「あと何回」というようにＲＡＭに記憶された確変遊技表示有りの情報と対応する確変遊技残数値を表示する。とりわけ、この実施形態では、特図駆動手段４８が「あと何回」というような確変遊技残数値を表示する場合、特図駆動手段４８は、当該確変遊技残数値を表示する回の図柄変動を開始する処理を行った後、特別図柄表示器２２の表示画面に確変遊技残数値を表示する処理を行い、次に、特別図柄表示器２２の表示画面に図柄変動を表示するとともに上記表示画面に表示された確変遊技残数値を消去する処理を行う。このような特図駆動手段４８による処理の結果、特別図柄表示器２２の表示画面には、確変遊技残数値が表示された後、当該表示された確変遊技残数値が特別図柄表示器２２の表示画面から消去されるとともに、図柄変動が表示される。この結果、確変遊技残数値と図柄変動とが同時に表示されることがなく、表示された確変遊技残数値と表示された図柄変動との双方が見やすくなる利点がある。
【００４０】
このようにして上記確変遊技回数Ｎ＝１５回までの間に大当たりとならなかったときに確変遊技が終了し、通常確率に戻り、時短遊技に入る。この時短遊技においては、普図駆動手段４４または特図駆動手段４８が上記ＲＡＭに設定された短縮普図変動時間＝５秒または短縮特図変動時間＝５秒に基づき普通図柄表示器２１または特別図柄表示器２２の普通図柄または特別図柄の可変表示（普通図柄表示器２１または特別図柄表示器２２による時短遊技）を実行する。この時短遊技中の変動回数は、普通図柄表示器２１または特別図柄表示器２２において、１回の図柄可変表示が開始してから、その回の図柄可変表示が終了して、その図柄が確定するまでを１回として、特典状況把握手段５７が計数する。この時短遊技中の変動回数を数えた特典状況把握手段５７は、計数した変動回数を上記ＲＡＭに書き込まれた時短遊技回数Ｍ＝１００回からカウントダウンし、そのカウントダウンした値を時短遊技残数値として取得し、この取得した時短遊技残数値を特典状況表示知識５８に照合し、時短遊技残数値に対応する特典状況表示知識５８に時短遊技残数値と対応付けされた時短遊技表示有りの情報を抽出し、抽出した時短遊技表示有りの情報をＲＡＭに記憶し、この記憶を遊技者に知らせるために、特図駆動手段４８に時短遊技表示有りの情報をＲＡＭに記憶したことを出力する。これによって、特図駆動手段４８が特別図柄表示器２２の表示画面における例えば４隅のいずれか１つ、上部の中央または下部の中央、全体的な図柄の背景のいずれかに、例えば「あと何回」というようにＲＡＭに記憶された時短遊技表示有りの情報と対応する時短遊技残数値を表示する。とりわけ、この実施形態では、特図駆動手段４８が「あと何回」というような時短遊技残数値を表示する場合、特図駆動手段４８は、当該時短遊技残数値を表示する回の図柄変動を開始する処理を行った後、特別図柄表示器２２の表示画面に時短遊技残数値を表示する処理を行い、次に、特別図柄表示器２２の表示画面に図柄変動を表示するとともに上記表示画面に表示された時短遊技残数値を消去する処理を行う。このような特図駆動手段４８による処理の結果、特別図柄表示器２２の表示画面には、時短遊技残数値が表示された後、当該表示された時短遊技残数値が特別図柄表示器２２の表示画面から消去されるとともに、図柄変動が表示される。この結果、時短遊技残数値と図柄変動とが同時に表示されることがなく、表示された時短遊技残数値と表示された図柄変動との双方が見やすくなる利点がある。
【００４１】
この時短遊技は、普通図柄表示器２１の変動回数または特別図柄表示器２２の変動回数が上記ＲＡＭに書き込まれた時短遊技回数Ｍ＝１００回まで継続可能であるが、通常特図抽選知識５５を用いた抽選結果として、「特典」のきっかけとなる乱数値「３」、「７」のいずれかが抽選されることによって、上記時短遊技がその時点で終了し、特典遊技手段５２がＲＡＭに「特典」なる情報を設定し直し（「特典」なる情報の更新）、上記ＲＡＭに書き込まれた確変遊技回数Ｎ＝１５回まで継続可能である新たな確変遊技が再開される。
【００４２】
また、上記特図抽選の結果として大当たり遊技のきっかけとなった当たりが抽選された場合であって、その当たりが例えば図２における乱数値「１」または「９９９」のように、「３」または「７」以外であって、当たりのうちで時短遊技のきっかけを作る抽選内容の情報を有する乱数値の場合には、上記大当たり遊技の終了後に、時短遊技を実行するために、図外の時短遊技手段（時短遊技手段は、制御装置３８がマイクロコンピュータのＣＰＵがＲＯＭに書き込まれたプログラムにしたがってＲＡＭを記憶装置として使用しながら動作することによって具現化される）が上記時短遊技のきっかけを作る抽選内容の情報に基づき、ＲＡＭに「時短」なる情報を設定する。これによって、上記大当たり遊技の終了後、普図始動入賞部品２３または特図始動入賞部品２４への球の入賞に伴う普通図柄表示器２１または特別図柄表示器２２による可変表示の時間が短いつまり変動時間＝５秒の時短遊技が始まる。この時短遊技は、変動回数５０回まで継続可能になっている。この５０回は、これに限定されるものではなく、例えば１００回でもよい。この時短遊技は、上記乱数値「３」または「７」以外の乱数値で、特別図柄が同じ数値図柄または同じ絵図柄の組み合わせ態様で特別図柄が確定表示された場合、つまり、特別図柄表示器２２による当たりが確定した場合の全てで実行するようにしてもよい。
【００４３】
図４−図６を参照し、本実施形態の動作について説明する。図４において、制御装置３８が電力で起動し、特始開閉体２８と可変開閉体３１とが閉じている状態において、遊技領域１３に発射された球が普図始動入賞部品２３に入賞すると、普図始動入賞信号が普図始動球検出器３３から制御装置３８に入力し、ステップ１０１がＹＥＳ、ステップ１０２がＮＯ、ステップ１０３がＹＥＳとなり、ステップ１０４において、普通図柄表示器２１が変動中か変動中でないかの判定が行われる。
【００４４】
そして、普通図柄表示器２１が変動中であると、ステップ１０５において上記普図始動入賞に対する保留メモリ処理を行う。この保留メモリ処理は、普図抽選手段４２が上記普図始動入賞信号の制御装置３８への入力タイミングに基づく通常普図抽選知識５３または確変普図抽選知識５４による普図抽選を行い、その普図抽選の結果とともに普図始動入賞個数をＲＡＭに記憶した後、当該ＲＡＭに記憶された普図始動入賞個数を図外の保留メモリ表示器で表示する。上記ステップ１０４の判定の結果、普通図柄表示器２１が変動中でなければ、ステップ１０６において普通図柄遊技処理を行う。
【００４５】
一方、遊技領域１３に発射された球が特図始動入賞部品２４に入賞すると、特図始動入賞信号が特図始動球検出器３４から制御装置３８に入力し、ステップ１０１がＹＥＳ、ステップ１０２がＮＯ、ステップ１０３がＮＯ、ステップ１０７がＹＥＳとなり、ステップ１０８において、特別図柄表示器２２が変動中か変動中でないかの判定が行われる。
【００４６】
そして、特別図柄表示器２２が変動中であると、ステップ１０９において上記特図始動入賞に対する保留メモリ処理を行う。この保留メモリ処理は、特図抽選手段４６が上記特図始動入賞信号の制御装置３８への入力タイミングに基づく通常特図抽選知識５５または確変特図抽選知識５６による特図抽選を行い、その特図抽選の結果とともに特図始動入賞個数をＲＡＭに記憶した後、当該ＲＡＭに記憶された特図始動入賞個数を図外の保留メモリ表示器で表示する。上記ステップ１０８の判定の結果、特別図柄表示器２２が変動中でなければ、ステップ１１０において特別図柄遊技処理を行う。
【００４７】
図５において、図４のステップ１０６における普通図柄遊技処理について説明する。ステップ２０１では、ＲＡＭに特典設定がなされているかいないかを判定する。そして、特典設定がなされていると、ステップ２０２において、確変・時短の設定をＲＡＭに行い、ステップ２０３に進む。特典設定がなされていなければ、ステップ２０２をジャンプしてステップ２０３に進む。ステップ２０３において、通常普図抽選知識５３または確変普図抽選知識５４による普図抽選を行うとともに普通図柄表示器２１の可変表示を開始してから通常普図変動時間または短縮普図変動時間の後に普図抽選の抽選結果を反映しつつ普通図柄の確定表示を行う一方、ステップ２０１の判定結果として特典設定がなされている場合、特典状況把握手段５７が特典状況表示知識５８を用いた特典状況把握を行い、その特典状況把握結果として特別図柄表示器２２が確変遊技残数値表示を行う。そして、ステップ２０４において、普通図柄表示器２１による確定表示が当たりであるか外れであるかを判定する。この確定表示が当たりであるならば、ステップ２０５において特始開閉体２８を開閉する。上記確定表示が外れであるならば、ステップ２０５をジャンプして普通図柄遊技処理を終わる。この普通図柄遊技処理を終わると、普図駆動手段４４が、図４のステップ１０５における普図始動入賞に対する保留メモリがＲＡＭに存在するか否かを判定し、保留メモリがＲＡＭに存在する場合、メモリ表示器による普図始動入賞個数の表示を１個消すとともに、普通図柄表示器２１の可変表示を開始し、図４のステップ１０１に戻る。
【００４８】
図６において、図４のステップ１１０における特別図柄遊技処理について説明する。ステップ３０１では、ＲＡＭに特典設定がなされているかいないかを判定する。そして、特典設定がなされていると、ステップ３０２において、確変・時短の設定をＲＡＭに行い、ステップ３０３に進む。特典設定がなされていなければ、ステップ３０２をジャンプしてステップ３０３に進む。ステップ３０３において、通常特図抽選知識５５または確変特図抽選知識５６による特図抽選を行うとともに特別図柄表示器２２の可変表示を開始してから通常特図変動時間または短縮特図変動時間の後に特図抽選の抽選結果を反映しつつ特別図柄の確定表示を行う一方、ステップ３０１の判定結果として特典設定がなされている場合、特典状況把握手段５７が特典状況表示知識５８を用いた特典状況把握を行い、その特典状況把握結果として特別図柄表示器２２が確変遊技残数値表示を行う。
【００４９】
そして、ステップ３０４において、特別図柄表示器２２による確定表示が当たりであるか外れであるかを判定する。この確定表示が当たりであるならば、ステップ３０５において可変開閉体３１を開閉し、ステップ３０６に進む。ステップ３０６では特典当たりか否かを判定する。そして、例えば、確定表示された特別図柄が「３３３」または「７７７」であることから、特典当たりであるならば、ステップ３０７において、「特典」の情報をＲＡＭに設定する。
【００５０】
また、ステップ３０６での判定の結果、例えば、確定表示された特別図柄が「３３３」以外または「７７７」以外であることから、特典当たりでなければ、ステップ３０８において、ＲＡＭから「特典」の情報の消去を行う。一方、上記ステップ３０４における判定の結果、外れである場合、特別図柄遊技処理を終わる。この特別図柄遊技処理を終わると、特図駆動手段４８が、図４のステップ１０９における特図始動入賞に対する保留メモリがＲＡＭに存在するか否かを判定し、保留メモリがＲＡＭに存在する場合、メモリ表示器による特図始動入賞個数の表示を１個消すとともに、特別図柄表示器２２の可変表示を開始し、図４のステップ１０１に戻る。
【００５１】
図７を参照し、特図駆動手段４８が「あと何回」というような確変遊技残数値または時短遊技残数値を表示する場合について説明する。図７のａ図に示すように、特図始動入賞信号または特図始動入賞に対する保留メモリによる制御装置３８での図柄変動を開始する処理を行う場合、特別図柄表示器２２が例えば「１２３」と示した特別図柄を停止表示しており、特図駆動手段４８が当該確変遊技残数値を表示する回の図柄変動を開始する処理を行う。その後、特図駆動手段４８が特別図柄表示器２２の表示画面に確変遊技残数値または時短遊技残数値を表示する処理を行うことにより、図７のｂ図に示すように、特別図柄表示器２２の表示画面には停止表示している例えば「１２３」なる特別図柄と確変遊技残数値または時短遊技残数値としての例えば「あと１００回」とが表示されるか、または、図７のｃ図に示すように、特別図柄表示器２２の表示画面から特別図柄の停止表示が消えて特別図柄表示器２２の表示画面には確変遊技残数値または時短遊技残数値としての例えば「あと１００回」が表示される。次に、特図駆動手段４８が特別図柄表示器２２の表示画面に図柄変動を表示するとともに上記表示画面に表示された確変遊技残数値を消去する処理を行うことにより、図７のｄ図に示すように、特別図柄表示器２２の表示画面から確変遊技残数値または時短遊技残数値としての例えば「あと１００回」の表示が消えて特別図柄表示器２２の表示画面には図柄変動が表示される。
【００５２】
要するに上記実施形態の構造によれば、遊技領域１３に、普図始動入賞部品２３と、開閉可能な特始開閉体２８を有する特図始動入賞部品２４と、複数の普通図柄の可変表示可能な普通図柄表示器２１と、複数の特別図柄の可変表示可能な特別図柄表示器２２と、開閉可能な可変開閉体３１や特定入賞領域および普通入賞領域を有する可変入賞部品２５とを備え、制御装置３８が特図始動入賞部品２４への球の入賞に基づき、特図抽選を行うとともに特別図柄表示器２２による特図抽選結果の表示を行い、特別図柄表示器２２が特図抽選の当たり結果を確定表示したならば、可変入賞部品２５が可変開閉体３１を開閉する大当たり遊技を行った後、制御装置３８は、上記特図抽選の結果を反映して停止した特別図柄が特典として定めた例えば「３３３」または「７７７」の特別図柄であるならば確変特図抽選知識５６と短縮特図変動時間＝５秒とからなる特典を設定し、上記特図抽選の結果を反映して停止した特別図柄が特典として定めた図柄でなければ確変特図抽選知識５６と短縮特図変動時間＝５秒とからなる特典を消去する。よって、確変遊技のきっかけを作る特図抽選のデータである「確変有り」の情報で、可変入賞部品２５による大当たり遊技の終了後に、普通図柄表示器２１または特別図柄表示器２２による確変遊技と時短遊技とからなる特典遊技を行う一方、確変遊技と時短遊技とからなる特典遊技中は、特典遊技状況を把握し、その把握した特典遊技状況が特典状況表示知識５８に設定された確変遊技残数値または時短遊技残数値になると、当該確変遊技残数値または時短遊技残数値を特別図柄表示器２２の表示画面に表示することによって、特図抽選に使用する乱数値と抽選内容の情報とを関係付けた特図抽選知識のデータ量と特典遊技における確変遊技または時短遊技の消化状況を表示するデータ量とを可及的に少なくすることができ、遊技性を向上することができる。また、遊技者は特別図柄表示器２２を注目しているので、実施形態のように確変遊技残数値または時短遊技残数値を特別図柄表示器２２の表示画面に表示すれば、特別図柄表示器２２と別に設けられた表示灯で確変遊技残数値または時短遊技残数値を表示する場合に比べ、遊技者が表示された確変遊技残数値または時短遊技残数値を容易かつ適切に把握することができる。特に、確変遊技残数値または時短遊技残数値と図柄変動とが同時に表示されることがなく、表示された確変遊技残数値と表示された図柄変動との双方を見やすくすることができる。
【産業上の利用可能性】
【００５３】
上記実施形態では、特別図柄表示器２２で確定表示された特別図柄が特典として定められた図柄である場合に、可変入賞部品２５による大当たり遊技の終了後に普通図柄表示器２１と特別図柄表示器２２とによる特典遊技を行ったが、上記特別図柄表示器２２で確定表示された特別図柄が特典として定められた図柄である場合に、可変入賞部品２５による大当たり遊技の終了後に普通図柄表示器２１だけによる特典遊技を行うか、または、特別図柄表示器２２だけによる特典遊技を行ってもよい。上記実施形態では、特典遊技において、最大Ｎ回までの確変遊技に引き続き、最大Ｍ回までの時短遊技を行ったが、最大Ｍ回までの時短遊技に引き続き、最大Ｎ回までの確変遊技を行ってもよい。上記実施形態では、特典遊技のきっかけを作る定められた特定図柄として「３３３」、「７７７」を使用したが、それ以外の特定図柄でもよく、特定図柄が「３３３」の場合には先に時短遊技を実行し、後に確変遊技を実行し、特定図柄が「７７７」の場合には先に確変遊技を実行し、後に時短遊技を実行するようにしてもよい。上記実施形態では、特別図柄表示器２２で確変遊技残数値または時短遊技残数値を表示したが、特別図柄表示器２２で確変遊技残数値または時短遊技残数値を表示するよりも見づらくはなるものの、普通図柄表示器２１を特別図柄表示器２２よりも表示画面の面積の小さな液晶表示器のような画像表示器で構成し、この表示画面の面積の小さな画像表示器からなる普通図柄表示器２１で確変遊技残数値または時短遊技残数値を表示してもよい。また、上記実施形態では、確変または時短なる特典遊技の消化状況を確変遊技残数値または時短遊技残数値で表示したが、確変遊技残数値または時短遊技残数値に代わり、確変または時短なる特典遊技の消化状況の変化に応じて異なる複数の図柄で表示してもよい。
【図面の簡単な説明】
【００５４】
【図１】パチンコ機を示す模式図。（一実施形態）
【図２】通常特図抽選知識を示す図表。（同実施形態）
【図３】特典状況表示知識を示す図表。（同実施形態）
【図４】フローチャート。（同実施形態）
【図５】フローチャート。（同実施形態）
【図６】フローチャート。（同実施形態）
【図７】残数値表示形態を示す図表。（同実施形態）
【符号の説明】
【００５５】
１３  遊技領域
２１  普通図柄表示器
２２  特別図柄表示器
２３  普図始動入賞部品
２４  特図始動入賞部品
２５  可変入賞部品
２８  特始開閉体
３１  可変開閉体
３８  制御装置
５２  特典遊技手段
５３  通常普図抽選知識
５４  確変普図抽選知識
５５  通常特図抽選知識
５６  確変特図抽選知識
５７  特典状況把握手段
５８  特典状況表示知識
【図１】
2004154568.tif 000003
【図２】
2004154568.tif 000004
【図３】
2004154568.tif 000005
【図４】
2004154568.tif 000006
【図５】
2004154568.tif 000007
【図６】
2004154568.tif 000008
【図７】
2004154568.tif 000009